(57)【要約】 【課題】  折り畳んだテーブルの内部空間に、独立使用できる折り畳み椅子を収納する携帯用折り畳みテーブルにおいて、充分な強度を備えると共に、テーブル天板裏面における椅子収納範囲が充分に獲得できる脚構造を採用したテーブルを提供する。【解決手段】  アルミ枠１１とテーブル天板１２とで、裏面を浅い凹部１３とした２個の天板部１ａ，１ｂを形成すると共に、両天板部の一縁を互いに蝶結１４して裏面側を対面させて折り畳み自在とし、前記蝶結縁の反対側縁に、コ状のパイプ脚杆２１の横杆部２１１が添うように位置せしめ、コ状脚杆の両脚杆部２１２の外周に添う断面コ状の連結板２２を固着し、前記連結板２２の頂部をアルミ枠に枢結して前記パイプ脚杆が起立倒伏するようにしてなる。【選択図】  図３
2005074057.tif 000002
【特許請求の範囲】
【請求項１】
アルミ枠とテーブル天板とで、裏面を浅い凹部とした２個の天板部を形成すると共に、両天板部の一縁を互いに蝶結して裏面側を対面させて折り畳み自在とし、前記蝶結縁の反対側縁に、コ状のパイプの脚杆の横杆部が添うように位置せしめ、コ状脚杆の両脚杆部の外周に添う連結板を固着し、前記連結板の頂部をアルミ枠に枢結して前記パイプ脚杆が起立倒伏するようにしてなることを特徴とする折り畳みテーブル。
【請求項２】
天板部を、長方形状のテーブルを短手方向で二分した形状としてなる請求項１記載の折り畳みテーブル。
【請求項３】
アルミ枠と椅子座板とで、脚部を天板部裏面に折り畳んだ際の脚杆内側空間に収納できる大きさで、裏面を浅い凹部とした長尺座部を形成すると共に、長尺座部の短手縁裏面に、長手方向に折り畳むと共に、折り畳み時に前記裏面凹部に収まる脚部を設けた２個のベンチを、折り畳み時のテーブル内部空間に収納してなる請求項２記載の折り畳みテーブル。
【発明の詳細な説明】
【技術分野】
【０００１】
本発明は、椅子を付属させた携帯用テーブルに関するものである。
【背景技術】
【０００２】
屋外での使用を主たる目的とした携帯用テーブルにおいて、特に椅子も組み込んでいるものは、椅子とテーブルが一体となっているものと、椅子が独立しているものとが知られている。
【０００３】
一体タイプは、椅子天板に折り畳み脚を設け、椅子天板に連結した折り畳み支持腕でテーブル天板を支持する構成で、椅子天板に折り畳み脚を折り込み、支持腕を折曲して椅子天板をテーブル天板裏面に折り畳み、テーブル天板を二つ折りとして携帯するようにしているものである（特許文献１，２）。
【０００４】
分離タイプは、二つ折り天板と折り畳み脚を備えたテーブルと、折り畳み脚を備えた複数の椅子で構成され、複数の椅子を折り畳みテーブル内に収納するようにしているものである（特許文献３）。
【０００５】
また現在多用されている折り畳みテーブルは、天板部分がアルミ枠と天板の組み合わせで構成され、脚としてパイプ脚を採用すると共に、棒状脚の頂部をアルミ枠に枢結して折り畳み自在とし、且つ強度的問題を解決するために、棒状パイプ脚の間にコの字状のパイプ横杆を差し渡して補強している（特許文献４）。
【０００６】
【特許文献１】実公昭５７−３２７６６号公報。
【特許文献２】実開昭６３−１５９５２７号公報。
【特許文献３】特開昭４８−９８５８３２７６６号公報。
【特許文献４】登録実用新案３０５０９３２号公報の図５。
【発明の開示】
【発明が解決しようとする課題】
【０００７】
前記した一体タイプの折り畳みテーブルは、椅子の位置が定まってしまうし、テーブル天板を脚で直接支持していないので、テーブルの強度（重量制限）に問題がある。
【０００８】
また分離タイプの折り畳みテーブルは、椅子が独立しているのでその使用には便利である。しかし前記した公知例（特許文献３）のように棒状脚の頂部を単に枢結して折り畳み自在としても、強度的な問題がある。そこで補強のために脚間にコの字状のパイプ横杆を差し渡す構造を採用すると、テーブル天板の裏面収納範囲が減少してしまうという新たな問題が生ずる。
【０００９】
そこで本発明は、脚が充分な強度を備えると共に、テーブル天板裏面における椅子収納範囲が充分に獲得できる新規な折り畳みテーブルを提案したものである。
【課題を解決するための手段】
【００１０】
本発明（請求項１）に係る折り畳みテーブルは、アルミ枠とテーブル天板とで、裏面を浅い凹部とした２個の天板部を形成すると共に、両天板部の一縁を互いに蝶結して裏面側を対面させて折り畳み自在とし、前記蝶結縁の反対側縁に、コ状のパイプ脚杆の横杆部が添うように位置せしめ、コ状脚杆の両脚杆部の外周に添う連結板を固着し、前記連結板の頂部をアルミ枠に枢結して前記パイプ脚杆が起立倒伏するようにしてなることを特徴とするものである。
【００１１】
また本発明（請求項２）は、前記構成において、特に長方形状のテーブルを短手方向で二分してなるものである。
【発明の効果】
【００１２】
従って請求項１記載の通り、脚部にコ状パイプの脚杆と連結板の組み合わせを採用することで、脚部としてパイプ脚杆とコ状パイプ横杆とを各別に形成して組み合わせる必要が無く、充分な強度を備えることになると共に、テーブル裏面の凹部における折り畳み時の脚杆の占める割合を小さくでき、相対的に折り畳み椅子の収納範囲を大きく出来るものである。また従前のパイプ脚杆とコ状パイプ横杆を組み合わせた際に生ずるパイプ横杆の端面処理の必要もなくなる。
【００１３】
また請求項２の構成を採用することで、脚部の連結板との枢結位置が充分な耐力を備えたアルミ枠の短辺部となり、また収容折り畳み椅子の収納範囲が細長形状となり、長尺形状の折り畳み椅子や、ゴザなどの長尺物の収納が可能となるものである。
【発明を実施するための最良の形態】
【００１４】
次に本発明についての実施形態について説明する。実施形態に示した折り畳みテーブルは、折り畳みテーブル体Ａと、２個の折り畳み椅子Ｂとで構成されている。
【００１５】
折り畳みテーブル体Ａは、天板部１と、脚部２とで構成され、天板部１は長方形状のテーブルを短手方向で二分した細長形状の２個（１ａ，１ｂ）で構成され、各天板部１ａ，１ｂは、アルミ枠１１とテーブル天板１２とで、裏面に浅い凹部１３を形成したものである。
【００１６】
更に前記２個の天板部１ａ，１ｂの開口時に対面する枠辺（長手辺）の端縁を軸線として蝶結１４し（図示例は短手辺の当該個所で蝶結している）、裏面側を対面させて凹部１３による内部空間が形成されるように折り畳み自在としたもので、蝶結部の反対側のアルミ枠長手辺に持ち手１５とフック部１６を付設してなる。
【００１７】
脚部２は、パイプ脚杆２１と、連結板２２と、折り畳み支え杆２３と、継ぎ脚杆２４とで構成される。パイプ脚杆２１は、前記テーブル天板の長手辺より少し短い横杆部２１１の両端から折曲して、テーブル天板の短手辺より少し短い脚杆部２１２に連続するコの字状としたものである。また連結板２２は、前記パイプ脚杆２１の外周に添う断面コ状の長尺板で、脚杆部２１２の外側方の上部（折曲Ｒ部分）に少し突出せしめてパイプ脚杆２１を固定する。
【００１８】
前記パイプ脚杆２１は、天板部１の凹部１３内における蝶結縁の反対側のアルミ枠１１の内縁に、横杆部２１１が添うように位置せしめ、連結板２２の頂部をアルミ枠１１に枢結してパイプ脚杆２１が起立倒伏するようにしてなり、更に連結板２２の下部とアルミ枠短手辺との間に、周知構造の折り畳み支え杆２３を架設してなる。
【００１９】
またパイプ脚杆２１の脚杆部２１２の端部は、継ぎ脚杆２４を連結継ぎ足しできる構造としておくものである。
【００２０】
次に椅子体Ｂについて説明する。椅子体Ｂは、テーブル体Ａの天板部１における凹部１３において、前記パイプ脚杆２１を折りたたんで収納した際の内側空間の範囲に対応した長尺座部３と、長尺座部３の裏面に折り畳み収納可能とした脚部４とで構成される。
【００２１】
長尺座部３は、アルミ枠３１と椅子座板３２とで形成し、裏面に脚部４の収納空間となる凹部を形成したものである。
【００２２】
脚部４は、Ｈ状パイプ脚杆４１と、折り畳み支持腕４２と、開閉足部４３とで構成され、Ｈ状パイプ脚杆４１は、アルミ枠３１の短手辺の内方側で起立倒伏するように長手辺に枢結してなり、折り畳み支持腕４２は、椅子座板３２の中央付近の裏面と、Ｈ状パイプ脚杆４１の対向側面との間に介設したものである。また開閉足部４３は、パイプ脚杆４１の下部に、パイプ脚杆４１を中心に板状部が回動自在となるようにしたものである。
【００２３】
而してテーブル体Ａは、天板部１ａ，１ｂを拡げて、パイプ脚杆２１を起立させると低足テーブルとなり、継ぎ脚杆２４を継ぎ足すと高足テーブルとなる。
【００２４】
椅子体Ｂも、Ｈ状脚杆２４を起立させるとベンチ様の椅子となり、開閉足部４３を回動してＨ状パイプ脚杆４１と平行にすると、椅子の安定に寄与することになり、前記テーブル体Ａと２個の椅子体Ｂの組み合わせ使用により、椅子を有するテーブルとして屋外使用できるものである。
【００２５】
そしてテーブル体Ａをひっくり返し、脚部２を折り畳み、テーブル体Ａの凹部１３の残余空間に脚部４を折り畳んだ椅子体Ｂを各々収納し、天板部１を折り畳み、フック部１６で折り畳んだ両天板部１ａ，１ｂを係止すると、持ち手１５を使用して容易に携帯することが出来る。
【００２６】
また継ぎ脚杆２４は、パイプ脚杆２１の横杆部２１１とアルミ枠１１の長手辺との間隙に収納すれば良い。
【００２７】
尚本発明は、前記実施形態に示したように、天板部１を長方形状のテーブルを短手方向で二分した細長形状に限定されるものではないが、前記構成を採用すると、強度的効果や携帯容易性などの効果を奏する。
【図面の簡単な説明】
【００２８】
【図１】本発明の実施形態の使用状態を示す全体斜視図。
【図２】同テーブル体の使用時を示し（イ）は一部正面図（ロ）は一部側面図。
【図３】同収納状態の説明図（テーブル体開放状態の一部平面図）。
【図４】同収納状態の説明図（テーブル体開放状態の斜視図）。
【符号の説明】
【００２９】
Ａ        折り畳みテーブル体
１（１ａ，１ｂ）  天板部
１１      アルミ枠
１２      テーブル天板
１３      凹部
１４      蝶結
１５      持ち手
１６      フック部
２        脚部
２１      パイプ脚杆
２１１    横杆部
２１２    脚杆部
２２      連結板
２３      折り畳み支え杆
２４      継ぎ脚杆
Ｂ        椅子体
３        長尺座部
３１      アルミ枠
３２      椅子座板
４        脚部
４１      Ｈ状パイプ脚杆
４２      折り畳み支持腕
４３      開閉足部
【図１】
2005074057.tif 000003
【図２】
2005074057.tif 000004
【図３】
2005074057.tif 000005
【図４】
2005074057.tif 000006